(57)【要約】【課題】商品が陳列状態で収納された包装容器が積み上げられている場合であっても、下方にある包装容器を取り出してその包装容器の蓋を開けることなく包装容器内の商品を視認することができる包装容器及びパッケージ商品を提供する。【解決手段】本発明に係る包装容器１は、矩形の底面板５と、底面板５の正面側の縁から立ち上げられた透明な正面板７と、底面板５の背面側の縁から立ち上げられた背面板８と、底面板５の左右両側の縁からそれぞれ立ち上げられた透明な左側面板６Ｌ及び透明な右側面板６Ｒと、を有し、且つ上面部１３を開放して容器２を構成し、容器２の上面部１３と背面板８と底面板５とを板状のカバー３で連続して覆い、カバー３の正面側と左右両側とを開放している。【選択図】図１
2014133581.tif 000002
【特許請求の範囲】
【請求項１】
矩形の底面板と、前記底面板の正面側の縁から立ち上げられた透明な正面板と、前記底面板の背面側の縁から立ち上げられた背面板と、前記底面板の左右両側の縁からそれぞれ立ち上げられた透明な左側面板及び透明な右側面板と、を有し、且つ上面部を開放して容器を構成し、
前記容器の前記上面部と前記背面板と前記底面板とを板状のカバーで連続して覆い、前記カバーの正面側と左右両側とを開放したことを特徴とする包装容器。
【請求項２】
一枚のシートを、前記底面板に対して前記正面板と前記背面板と前記左側面板と前記右側面板とをそれぞれ折り曲げ自在な折り曲げ線で区切り、この折り曲げ線で前記シートを折り曲げることによって前記容器を組み立てたことを特徴とする請求項１に記載の包装容器。
【請求項３】
前記正面板の右側端部及び左側端部から前記右側面板側及び前記左側面板側に向かってそれぞれ張り出して設けた正面側嵌合部と、
前記右側面板及び前記左側面板の各正面板側端部にそれぞれ設けた、前記正面側嵌合部と嵌合自在な正面側被嵌合部と、
前記背面板の右側端部及び左側端部から前記右側面板側及び前記左側面板側に向かってそれぞれ張り出して設けた背面側嵌合部と、
前記右側面板及び前記左側面板の各背面板側端部にそれぞれ設けた、前記背面側嵌合部と嵌合自在な背面側被嵌合部と、をさらに備え、
前記正面側嵌合部と前記正面側被嵌合部とを嵌合し、且つ前記背面側嵌合部と前記背面側被嵌合部とを嵌合することで、前記正面板と前記右側面板と前記左側面板と前記背面板とを前記底面板に対してそれぞれ立ち上げて前記容器の形状を固定したことを特徴とする請求項１または請求項２に記載の包装容器。
【請求項４】
前記底面板に、前記正面板の上方向を向いた傾斜面を形成して、この傾斜面により商品を背面から支持する支持斜面部を構成するとともに、前記底面板に、前記支持傾斜部より前記正面板に近い位置で上方向に突出する凸部を形成して前記商品の下縁前側を支持する底面凸部を構成し、さらに、前記右側面板及び前記左側面板の内側面に、前後の対をなして内側に突出する側面凸部を形成して両側面凸部により前記商品の側縁を前後から支持する溝部を構成したことを特徴とする請求項１から請求項３のいずれか１項に記載の包装容器。
【請求項５】
前記カバーにおいて、前記容器の前記上面部を覆う部分をカバー上面板とし、前記容器の前記底面板を覆う部分をカバー底面板とし、
前記カバー上面板に、前記カバー上面板の正面側の縁及び左右両側の縁のそれぞれから前記カバー底面板側に向けて突出した上面側縁取り部を備えるとともに、
前記カバー底面板に、前記カバー底面板の正面側の縁及び左右両側の縁のそれぞれから前記カバー上面板側に向けて突出した底面側縁取り部を備えたことを特徴とする請求項１から請求項４のいずれか１項に記載の包装容器。
【請求項６】
請求項１から請求項５のいずれか１項に記載の包装容器と、前記包装容器に収納された商品と、を備えることを特徴とするパッケージ商品。
【発明の詳細な説明】
【技術分野】
【０００１】
本発明は、包装容器及びパッケージ商品に関する。
【背景技術】
【０００２】
商品を陳列状態で収納するための包装容器には、正面板、背面板、左右両側の側面板、底面板、上面板の各面板が例えばボール紙で形成されているものがある。このような包装容器には、例えば特許文献１に記載されたものがある。
ところで、商品の購入者は、包装容器内に収納された商品を見た上で（視認した上で）購入する場合が多い。これは、商品を視認することで納得した商品を得る（安心感を得る）といった消費者心理によるものである。
そのため、従来技術に係る包装容器内に収納された商品を購入する際、購入者は包装容器の外側からはその内部の商品を視認し得ないため、包装容器の蓋（上面板）を開けて商品を視認した上で購入する場合が多い。
【先行技術文献】
【特許文献】
【０００３】
【特許文献１】特開２０１０−１８３０８号公報
【発明の概要】
【発明が解決しようとする課題】
【０００４】
しかしながら、前述の包装容器では、商品が収納された包装容器が複数種類積み上げられている場合にあっては、下方にある商品を購入するために下方から包装容器を取り出してその包装容器の蓋を開ける必要があるといった課題がある。なお、従来技術に係る包装容器には、包装容器の蓋に商品を視認するための窓を備えたものもあるが、包装容器が積み上げられている場合にあっては、その窓は本来の機能を発揮し得ないことがある。
本発明は上記課題を鑑み、商品が陳列状態で収納された包装容器が積み上げられている場合であっても、下方にある包装容器を取り出してその包装容器の蓋を開けることなく包装容器内の商品を視認することができる包装容器及びパッケージ商品を提供することを目的とする。
【課題を解決するための手段】
【０００５】
上記課題を解決するための本発明の一態様は、矩形の底面板と、前記底面板の正面側の縁から立ち上げられた透明な正面板と、前記底面板の背面側の縁から立ち上げられた背面板と、前記底面板の左右両側の縁からそれぞれ立ち上げられた透明な左側面板及び透明な右側面板と、を有し、且つ上面部を開放して容器を構成し、前記容器の前記上面部と前記背面板と前記底面板とを板状のカバーで連続して覆い、前記カバーの正面側と左右両側とを開放したことを特徴とする包装容器である。
また、上記の包装容器において、一枚のシートを、前記底面板に対して前記正面板と前記背面板と前記左側面板と前記右側面板とをそれぞれ折り曲げ自在な折り曲げ線で区切り、この折り曲げ線で前記シートを折り曲げることによって前記容器を組み立てたこととしてもよい。
【０００６】
また、上記の包装容器において、前記正面板の右側端部及び左側端部から前記右側面板側及び前記左側面板側に向かってそれぞれ張り出して設けた正面側嵌合部と、前記右側面板及び前記左側面板の各正面板側端部にそれぞれ設けた、前記正面側嵌合部と嵌合自在な正面側被嵌合部と、前記背面板の右側端部及び左側端部から前記右側面板側及び前記左側面板側に向かってそれぞれ張り出して設けた背面側嵌合部と、前記右側面板及び前記左側面板の各背面板側端部にそれぞれ設けた、前記背面側嵌合部と嵌合自在な背面側被嵌合部と、をさらに備え、前記正面側嵌合部と前記正面側被嵌合部とを嵌合し、且つ前記背面側嵌合部と前記背面側被嵌合部とを嵌合することで、前記正面板と前記右側面板と前記左側面板と前記背面板とを前記底面板に対してそれぞれ立ち上げて前記容器の形状を固定したこととしてもよい。
【０００７】
また、上記の包装容器において、前記底面板に、前記正面板の上方向を向いた傾斜面を形成して、この傾斜面により商品を背面から支持する支持斜面部を構成するとともに、前記底面板に、前記支持傾斜部より前記正面板に近い位置で上方向に突出する凸部を形成して前記商品の下縁前側を支持する底面凸部を構成し、さらに、前記右側面板及び前記左側面板の内側面に、前後の対をなして内側に突出する側面凸部を形成して両側面凸部により前記商品の側縁を前後から支持する溝部を構成したこととしてもよい。
【０００８】
また、上記の包装容器において、前記カバーにおいて、前記容器の前記上面部を覆う部分をカバー上面板とし、前記容器の前記底面板を覆う部分をカバー底面板とし、前記カバー上面板に、前記カバー上面板の正面側の縁及び左右両側の縁のそれぞれから前記カバー底面板側に向けて突出した上面側縁取り部を備えるとともに、前記カバー底面板に、前記カバー底面板の正面側の縁及び左右両側の縁のそれぞれから前記カバー上面板側に向けて突出した底面側縁取り部を備えたこととしてもよい。
また、本発明の別の態様は、前述した包装容器と、前記包装容器に収納された商品と、を備えることを特徴とするパッケージ商品である。
【発明の効果】
【０００９】
本発明に係る包装容器では、容器の正面板及び左右両側の側面板は透明になっており、また、カバーの正面側及び左右両側は開放されているため、容器の正面板及び左右両側の側面板を包装容器の窓としてそのまま利用することができる。よって、本発明に係る包装容器であれば、商品を収納した包装容器が積み上げられている場合であっても、下方にある包装容器を取り出してその包装容器の蓋を開けることなく包装容器内の商品を視認することができる。
【図面の簡単な説明】
【００１０】
【図１】本実施形態に係る包装容器の斜視図である。
【図２】本実施形態に係る包装容器の正面図（ａ）及び背面図（ｂ）である。
【図３】本実施形態に係る包装容器の左側面図（ａ）及び平面図（ｂ）である。
【図４】本実施形態に係る容器（ａ）及びカバー（ｂ）の斜視図である。
【図５】本実施形態に係る容器の正面図（ａ）及び左側面図（ｂ）である。
【図６】本実施形態に係る容器を展開した平面図である。
【図７】本実施形態に係るカバーを展開した平面図である。
【図８】本実施形態に係る包装容器に商品を収納した状態を示す正面図である。
【発明を実施するための形態】
【００１１】
以下、本実施形態に係る包装容器について図１〜図８を参照しつつ説明する。
図１は、本実施形態に係る包装容器１の斜視図であって、蓋を開いた状態を示す斜視図である。図２は、本実施形態に係る包装容器１の正面図（ａ）及び背面図（ｂ）である。図３は、本実施形態に係る包装容器１の左側面図（ａ）及び平面図（ｂ）である。
図１〜図３に示すように、本実施形態に係る包装容器１は、商品を陳列状態で収納するための容器２と、その容器２のカバー３とを有している。このカバー３の表側の面（外側の面）には、例えば需要者の購買欲を掻き立てるための表示が施されている。包装容器１全体の形状は、蓋を閉じた状態では概ね直方体形状をしている。
【００１２】
以下、本実施形態に係る包装容器１に含まれる容器２とカバー３とについて、図４〜図７を参照しつつ順次説明する。
（容器２）
図４は、本実施形態に係る容器２（ａ）及びカバー３（ｂ）の斜視図である。図５は、本実施形態に係る容器２の正面図（ａ）及び左側面図（ｂ）である。図６は、本実施形態に係る容器２を展開した平面図（展開図）である。なお、図４では、図１に示した包装容器１を容器２とカバー３とにそれぞれ分離した状態を示している。
【００１３】
以下、容器２の構造の詳細については、図６を参照して容器２の組み立て工程を述べつつ説明する。
容器２は、樹脂製の透明な一枚のシート４を組み立てることで形成可能な容器であって、底面板５と左側面板６Ｌと右側面板６Ｒと正面板７と背面板８の各面板から構成されている。また、容器２の上面部１３は開放されている。
【００１４】
シート４において、前述の各面板は、それぞれ折り曲げ自在な折り曲げ線４１によって区切られている。また、各面板には後述する凹凸が形成されているが、この凹凸は各面板を曲げて形成しているため、凸の裏側は板の厚み分だけ寸法が小さくなった凹となっている。前記折り曲げ線４１は、図６において破線で示されている。以下、前述の各面板の構造について詳細に説明する。なお、図６に示されたＡ線はシート４の左右方向の中心線を示しており、Ｂ線はシート４の前後方向の中心線を示している。また、シート４は、図６に示すように、Ａ線を中心にして左右対称な構造をしている。そこで、左右対称となっている箇所については、その記載を省略するものとする。
【００１５】
（底面板５）
底面板５は、矩形の板であって、図６ではシート４の中央に配置されている。そして、この底面板５は、Ａ線を中心にして左右対称な構造となっている。
底面板５には、上方に向けて（つまり、紙面奥側から紙面手前側に向けて）突出した支持傾斜部５２が形成されている。この傾斜部５２は、前側の面に包装容器１内に商品を収納した場合に商品を背面から支持するための傾斜面５１を備えている。この傾斜面５１は、正面板５側から背面板８側に向かって正の勾配で（正の傾斜角で）傾斜した面である。
【００１６】
支持傾斜部５２は底面板５の背面板８側に形成されており、支持傾斜部５２の長軸は後述する左側面板６Ｌ側から後述する右側面板６Ｒ側に向かって延びている。より詳しくは、支持傾斜部５２は、その長軸が正面板７及び背面板８に対して平行に延びるようにして形成されている。
支持傾斜部５２の中央には、背面板８側から正面板７側に向かう方向（Ａ線上）に沿って傾斜仕切り部５３が形成されている。この仕切り部５３は、包装容器１内に商品を収納した場合に商品を左右方向において仕切るための凸部である。
【００１７】
底面板５の中央（Ｂ線上）には、上方に向けて突出した中央底面凸部５４が形成されている。この凸部５４の長軸は、その左側面板６Ｌ側から右側面板６Ｒ側に向かって延びている。換言すると、凸部５４は、その長軸が支持傾斜部５２、正面板７及び背面板８に対して平行に延びるようにして形成されている。この中央底面凸部５４は、包装容器１内に商品を収納した場合に商品の下縁前側を支持する（すべり止め）ための凸部である。
【００１８】
中央底面凸部５４と正面板７との間の底面板５には、上方に向けて突出した正面側底面凸部５５が形成されている。この凸部５５は、左側面板６Ｌ側から右側面板６Ｒ側に向かって延びる２つの凸部５５ａ、５５ｂと、この２つの凸部５５ａ、５５ｂの間を繋ぐ凸部５５ｃとで形成されている。この凸部５５も、中央底面凸部５４と同様に、包装容器１内に商品を収納した場合に商品の下縁前側を支持する（すべり止め）ための凸部である。
【００１９】
正面側底面凸部５５の凸部５５ａと正面板７との間の底面板５には、上方に向けて突出した仕切り凸部５６が形成されている。この凸部５６は、左側面板６Ｌ側から右側面板６Ｒ側に向かって延びる凸部５６ａと、その凸部５６ａの中央から正面板７側に向かって延びる凸部５６ｂとから形成されている。この凸部５６は、包装容器１内に商品を収納した場合に商品を仕切るための凸部である。
【００２０】
底面板５の左右両側の端部には上方に向けて突出した端部凸部５７Ｌ、５７Ｒが、Ａ線を中心にして左右対称に形成されている。端部凸部５７Ｌ、５７Ｒは平面視で矩形をしている。図６には、左右両側の端部に３つの端部凸部５７Ｌａ〜５７Ｌｃ、５７Ｒａ〜５７Ｒｃがそれぞれ示されている。端部凸部５７Ｌ、５７Ｒの長軸は正面板７側から背面板８側に向かって延びており、その短軸は左側面板６Ｌ側から右側面板６Ｒ側に向かって延びている。また、端部凸部５７Ｌ、５７Ｒの横幅（短軸方向の長さ）は、それぞれ略同じ長さである。
【００２１】
なお、前述のように、支持傾斜部５２、中央底面凸部５４、正面側底面凸部５５、仕切り凸部５６、端部凸部５７は、一枚のシートを上方に向けて突出して形成されている。よって、各凸部は、図６の状態ではシート４の裏面側から見た場合には凹形状をしている。
【００２２】
（左側面板６Ｌ及び右側面板６Ｒ）
左側面板６Ｌ及び右側面板６Ｒは、それぞれ矩形の板であって、図６では底面板５の左右両側にそれぞれ配置されている。左側面板６Ｌ及び右側面板６Ｒの前後方向の長さはそれぞれ底面板５の前後方向の長さと略同じ長さとなっている。この左側面板６Ｌ及び右側面板６Ｒは、図６に示すように、Ａ線を中心にして左右対称な構造となっている。そこで、左側面板６Ｌの構造についてのみ説明し、右側面板６Ｒの構造についての説明は省略する。なお、左側面板６Ｌ及び右側面板６Ｒにおいて、同一の部分については同一の番号を付している。
【００２３】
左側面板６Ｌには、図６の状態では上方に向けて突出した側面凸部（包装容器１の内側に向かって突出する凸部）６１Ｌが形成されている。この側面凸部６１Ｌは、背面板８側の端部に設けられ平面視で略直角三角形をした背面側側面凸部６１Ｌａと、正面板７側の端部に設けられ平面視で略直角三角形をした正面側側面凸部６１Ｌｂとを備えている。ここで、背面側側面凸部６１Ｌａは、「背面側被嵌合部」に対応するものである。また、正面側側面凸部６１Ｌｂは、「正面側被嵌合部」に対応するものである。
【００２４】
背面側側面凸部６１Ｌａと正面側側面凸部６１Ｌｂとの間は、平面視で平行四辺形をした中央側面凸部６１Ｌｃが形成されている。図６には、２つの中央側面凸部６１Ｌｃが示されている。
なお、側面凸部６１Ｌの厚み（高さ）は、端部凸部５７Ｌの横幅（左右方向の長さ）と略同じである。
【００２５】
背面側側面凸部６１Ｌａと中央側面凸部６１Ｌｃとの間、中央側面凸部６１Ｌｃ同士の間、中央側面凸部６１Ｌｃと正面側側面凸部６１Ｌｂとの間には、溝部６２Ｌがそれぞれ形成されている。図６には、左側面板６Ｌに合計３つの溝部６２Ｌが示されている。そして、各溝部６２Ｌの傾斜角は、左側面板６Ｌを底面板５に対して垂直に立ち上げて配置した場合に、支持傾斜部５２の傾斜面５１の傾斜角と同じ角度または大体において同じ角度となっている。この溝部６２Ｌは、包装容器１に商品を収納した場合にその商品の側縁を前後方向から支持するための溝部である。
なお、前述のように、側面凸部６１Ｌ、６１Ｒは、一枚のシートを上方に向けて突出して形成されている。よって、各凸部は、図６の状態ではシート４の裏面側から見た場合には凹形状をしている。
【００２６】
（正面板７）
正面板７は、矩形の板であって、図６では底面板５の前方に配置されている。そして、正面板７は、図６に示すように、Ａ線を中心にして左右対称な構造となっている。正面板７の左右方向の長さは、底面板５の左右方向の長さと略同じ長さとなっている。また、正面板７の前後方向の長さは、左側面板６Ｌ及び右側面板６Ｒの左右方向の長さと略同じ長さとなっている。
正面板７には、Ｂ線に沿って延びる底面側補強凸部７１と上面側補強凸部７２とが形成されている。この凸部７１、７２は、上方に向けて突出した凸部である。
【００２７】
正面板７は、正面板７の左側端部及び左側端部から左側面板６Ｌ側及び右側面板６Ｒ側に向かってそれぞれ張り出した正面側嵌合部７３Ｌ、７３Ｒを備えている。この正面側嵌合部７３Ｌ、７３Ｒは、図６の状態では上方に向けて突出した凸部である。また、正面側嵌合部７３Ｌ、７３Ｒの形状は、平面視で略直角三角形の形状をしており、左側面板６Ｌ及び右側面板６Ｒに設けられた正面側側面凸部６１Ｌｂ、６１Ｒｂの形状と略同じである。また、これら凸部６１Ｌｂ、６１Ｒｂの裏面になる凹部は、前記正面側嵌合部７３Ｌ、７３Ｒの凸部よりも大きくなっている。また、正面側嵌合部７３Ｌ、７３Ｒの高さ（厚み）は、正面側側面凸部６１Ｌｂ、６１Ｒｂの高さ（厚み）と略同じとなっている。
【００２８】
このため、正面板７の正面側嵌合部７３Ｌ、７３Ｒと、左右の側面板６Ｌ、６Ｒの正面側側面凸部６１Ｌｂ、６１Ｒｂとは凹凸嵌合可能であり、これらを嵌合することで正面板７と左右の側面板６Ｌ、６Ｒとを底面板５に対してそれぞれ立ち上げて固定することができる。
なお、前述のように、底面側補強凸部７１、上面側補強凸部７２、正面側嵌合部７３Ｌ、正面側嵌合部７３Ｒは、一枚のシートを上方に向けて突出して形成されている。よって、各凸部は、図６の状態ではシート４の裏面側から見た場合には凹形状をしている。
【００２９】
（背面板８）
背面板８は、矩形の板であって、図６では底面板５の後方に配置されている。そして、背面板８は、図６に示すように、Ａ線を中心にして左右対称な構造となっている。背面板８の左右方向の長さは、底面板５の左右方向の長さと略同じ長さとなっている。また、背面板５の前後方向の長さは、左側面板６Ｌ及び右側面板６Ｒの左右方向の長さと略同じ長さとなっている。
背面板８には、Ｂ線に沿って延びる底面側補強凸部８１と上面側補強凸部８２とが形成されている。この凸部８１、８２は、図６の状態では上方に向けて突出した凸部である。
【００３０】
背面板８は、背面板８の左側端部及び左側端部から左側面板６Ｌ側及び右側面板６Ｒ側に向かってそれぞれ張り出した背面側嵌合部８３Ｌ、８３Ｒを備えている。この背面側嵌合部８３Ｌ、８３Ｒは、図６の状態では上方に向けて突出した凸部である。また、背面側嵌合部８３Ｌ、８３Ｒの形状は、平面視で略直角三角形の形状をしており、左側面板６Ｌ及び右側面板６Ｒに設けられた背面側側面凸部６１Ｌａ、６１Ｒａの形状と略同じである。また、これら凸部６１Ｌａ、６１Ｒａの裏面になる凹部は、前記背面側嵌合部８３Ｌ、８３Ｒの凸部よりも大きくなっている。また、背面側嵌合部８３Ｌ、８３Ｒの高さ（厚み）は、背面側側面凸部６１Ｌａ、６１Ｒａの高さ（厚み）と略同じとなっている。
【００３１】
このため、背面板８の背面側嵌合部８３Ｌ、８３Ｒと、左右の側面板６Ｌ、６Ｒの背面側側面凸部６１Ｌａ、６１Ｒａとは凹凸嵌合可能であり、これらを嵌合することで背面板８と左右の側面板６Ｌ、６Ｒとを底面板５に対してそれぞれ立ち上げて固定することができる。
なお、前述のように、底面側補強凸部８１、上面側補強凸部８２、背面側嵌合部８３Ｌ、背面側嵌合部８３Ｒは、一枚のシートを上方に向けて突出して形成されている。よって、各凸部は、図６の状態でシート４の裏面側から見た場合には凹形状をしている。
【００３２】
（容器２の組立方法）
以下、容器２を組み立てる方法について、図６を参照しつつ説明する。なお、容器２は、シート４に設けられた折り曲げ線４１に沿って各面板を折り曲げることで組み立てられる。
まず、底面板５に対して直角になるように、左側面板６Ｌ及び右側面板６Ｒを上方に向けて立ち上げる。この際、左側面板６Ｌ及び右側面板６Ｒの側面凸部６１Ｌ、６１Ｒと、底面板５の端部凸部５７Ｌ、５７Ｒとが当接することで、左側面板６Ｌ及び右側面板６Ｒが底面板５側に向かって過度に倒れ込むのを防止している。
【００３３】
次に、底面板５に対して直角になるように、背面板８及び正面板７を上方に向けて立ち上げる。
次に、正面側嵌合部７３Ｌ、７３Ｒを左右の側面板６Ｌ、６Ｒ側に向けて折り曲げ、正面側側面凸部６１Ｌｂ、６１Ｒｂの裏面と凹凸嵌合させる。この際、正面側嵌合部７３Ｌ、７３Ｒを左右の側面板６Ｌ、６Ｒの外側から内側に向けて押し込むことで正面側側面凸部６１Ｌｂ、６１Ｒｂの裏面の凹部と凹凸嵌合させる。
【００３４】
最後に、背面側嵌合部８３Ｌ、８３Ｒを左右の側面板６Ｌ、６Ｒ側に向けて折り曲げ、背面側側面凸部６１Ｌａ、６１Ｒａの裏面と凹凸嵌合させる。この際、背面側嵌合部８３Ｌ、８３Ｒを左右の側面板６Ｌ、６Ｒの外側から内側に向けて押し込むことで背面側側面凸部６１Ｌａ、６１Ｒａの裏面と凹凸嵌合させる。
なお、前述のように、図６において正面板７及び背面板８の前後方向の長さは、側面板６Ｌ、６Ｒの左右方向の長さと略同じである。このため、このシート４を組み立てると、正面板７、背面板８及び側面板６Ｌ、６Ｒの底面板５からの高さが揃った容器２を形成できる。
【００３５】
こうして、図４（ａ）及び図５（ａ）、（ｂ）に示すように、矩形の底面板５と、底面板５の正面側の縁から立ち上げられた透明な正面板７と、底面板５の背面側の縁から立ち上げられた背面板８と、底面板５の左右両側の縁からそれぞれ立ち上げられた透明な左側面板６１Ｌ及び透明な右側面板６Ｒと、を有し、且つ上面部１３を開放した容器２が形成される。
【００３６】
（カバー３）
図７は、本実施形態に係るカバー３の展開した平面図（展開図）である。カバー３の構造の詳細については、図７を参照してカバー３の組み立て工程を述べつつ説明する。
カバー３は、ボール紙製の一枚のシート９を組み立てることで形成可能なカバーであって、カバー上面板１０とカバー背面板１１とカバー底面板１２との各面板を備えている。さらに、カバー３は、カバー上面板１０に上面側縁取り部１０５と、カバー底面板１２に底面側縁取り部１２５とを備えている。
【００３７】
シート９において、前述の各面板及び後述する折り込み部は、それぞれ折り曲げ自在な折り曲げ線（ミシン目）９１によって区切られている。この折り曲げ線９１は、図７において破線で示されている。以下、前述の各面板について説明する。なお、図７に示されたＡ線はシート９の左右方向の中心線を示しており、Ｂ線はシート９の前後方向の中心線を示している。また、シート９は、図７に示すように、Ａ線及びＢ線を中心にして対称な構造をしている。そこで、対称となっている箇所については、その記載を省略するものとする。
【００３８】
（カバー上面板１０）
カバー上面板１０は、矩形の板であって、図７ではシート９の前方に配置されている。そして、このカバー上面板１０は、Ａ線を中心にして左右対称な構造となっている。
カバー上面板１０の左右方向の長さは、容器２の上面部１３の左右方向の長さと略同じである。また、カバー上面板１０の前後方向の長さは、容器２の上面部１３の前後方向の長さと略同じである。
【００３９】
カバー上面板１０の左右両側の端部には、縁取り形成部１０１Ｌ、１０１Ｒがそれぞれ配置されている。そして、この縁取り形成部１０１Ｌ、１０１Ｒは、折り込み部１０１Ｌａ、１０１Ｌｂ、折り込み部１０１Ｒａ、１０１Ｒｂからそれぞれ構成されている。折り込み部１０１Ｌａ、１０１Ｌｂ、１０１Ｒａ、１０１Ｒｂは、それぞれ略矩形をしている。また、折り込み部１０１Ｌａ、１０１Ｌｂ、１０１Ｒａ、１０１Ｒｂの各長軸はＡ線に沿った方向に延びており、それらの各短軸はＢ線に沿った方向に延びている。さらに、折り込み部１０１Ｌａ、１０１Ｌｂ、１０１Ｒａ、１０１Ｒｂの前後方向の長さは、カバー上面板１０の前後方向の長さと略同じである。
【００４０】
カバー上面板１０の前側端部には、縁取り形成部１０２が配置されている。そして、この縁取り形成部１０２は、折り込み部１０２ａ〜１０２ｃから構成されている。折り込み部１０２ａ〜１０２ｃは、それぞれ略矩形をしている。そして、折り込み部１０２ａ〜１０２ｃの各長軸はＢ線に沿った方向に延びており、それらの各短軸はＡ線に沿った方向に延びている。折り込み部１０２ａ〜１０２ｃの左右方向の長さは、カバー上面板１０の左右方向の長さと略同じである。また、折り込み部１０２ａ〜１０２ｃの前後方向の長さは、折り込み部１０１Ｌａ、１０１Ｌｂ、１０１Ｒａ、１０１Ｒｂの左右方向の長さと略同じである。
折り込み部１０１Ｌａ、１０１Ｒａの前側端部と、折り込み部１０２ａの左側端部及び右側端部との間には、接着部１０３Ｌ、１０３Ｒがそれぞれ設けられている。この接着部１０３Ｌ、１０３Ｒは、平面視で略四角形をしている。
【００４１】
（カバー背面板１１）
カバー背面板１１は、矩形の板であって、図７ではカバー上面板１０の後方に配置されている。そして、このカバー背面板１０は、Ａ線及びＢ線を中心にして対称な構造となっている。
カバー背面板１１の左右方向の長さは、カバー上面板１０の左右方向の長さと略同じである。また、カバー背面板１１の前後方向の長さは、容器２の高さ（図６における正面板７及び背面板８の前後方向の長さ、側面板６Ｌ、６Ｒの左右方向の長さに相当する長さ）と略同じである。
カバー背面板１１の左右両側の端部には、背面折り込み部１１１Ｌ、１１１Ｒがそれぞれ形成されている。そして、背面折り込み部１１１Ｌ、１１１Ｒは、折り込み部１１１Ｌａ、１１１Ｌｂ、折り込み部１１１Ｒａ、１１１Ｒｂからそれぞれ構成されている。
【００４２】
（カバー底面板１２）
カバー底面板１２は、矩形の板であって、図７ではカバー背面板１１の後方に配置されている。そして、このカバー底面板１２は、Ａ線を中心にして左右対称な構造となっている。
カバー底面板１２の左右方向の長さは、容器２の底面板５の左右方向の長さと略同じである。また、カバー底面板１２の前後方向の長さは、容器２の底面板５の前後方向の長さと略同じである。
【００４３】
カバー底面板１２の左右両側の端部には、縁取り形成部１２１Ｌ、１２１Ｒがそれぞれ配置されている。そして、縁取り形成部１２１Ｌ、１２１Ｒは、折り込み部１２１Ｌａ、１２１Ｌｂ、折り込み部１２１Ｒａ、１２１Ｒｂからそれぞれ構成されている。折り込み部１２１Ｌａ、１２１Ｌｂ、１２１Ｒａ、１２１Ｒｂは、それぞれ略矩形をしている。また、折り込み部１２１Ｌａ、１２１Ｌｂ、１２１Ｒａ、１２１Ｒｂの各長軸はＡ線に沿った方向に延びており、それらの各短軸はＢ線に沿った方向に延びている。さらに、折り込み部１２１Ｌａ、１２１Ｌｂ、１２１Ｒａ、１２１Ｒｂの前後方向の長さは、カバー底面板１２の前後方向の長さと略同じである。
【００４４】
カバー底面板１２の後側端部には、縁取り形成部１２２が配置されている。そして、この縁取り形成部１２２は、折り込み部１２２ａ〜１２２ｃから構成されている。この折り込み部１２２ａ〜１２２ｃは、それぞれ略矩形をしている。そして、折り込み部１２２ａ〜１２２ｃの各長軸はＢ線に沿った方向に延びており、それらの各短軸はＡ線に沿った方向に延びている。折り込み部１２２ａ〜１２２ｃの左右方向の長さは、カバー底面板１２の左右方向の長さと略同じである。また、折り込み部１２２ａ〜１２２ｃの前後方向の長さは、折り込み部１２１Ｌａ、１２１Ｌｂ、１２１Ｒａ、１２１Ｒｂの左右方向の長さと略同じである。
折り込み部１２１Ｌａ、１２１Ｒａの後側端部と、折り込み部１２２ａの左側端部及び右側端部との間には、接着部１２３Ｌ、１２３Ｒがそれぞれ設けられている。この接着部１２３Ｌ、１２３Ｒは、平面視で略四角形をしている。
【００４５】
（カバー３の組立方法）
以下、カバー３を組み立てる方法について、図７を参照しつつ説明する。なお、カバー３は、シート９に設けられた折り曲げ線９１に沿って各面板及び各折り込み部を折り曲げることで組み立てられる。
まず、カバー上面板１０に対して直角になるように、縁取り形成部１０１Ｌ、１０１Ｒ、１０２を上方に向けてそれぞれ立ち上げる。この際、カバー上面板１０側に向けて折り込むように接着部１０３Ｌ、１０３Ｒを折り曲げる。
【００４６】
次に、折り込み部１０１Ｌｂ、１０１Ｒｂをカバー上面板１０側に折り曲げて、折り込み部１０１Ｌａ、１０１Ｒａと折り込み部１０１Ｌｂ、１０１Ｒｂとをそれぞれ接着させる。この際、折り込み部１０１Ｌａ、１０１Ｒａと折り込み部１０１Ｌｂ、１０１Ｒｂと間に接着部１０３Ｌ、１０３Ｒをそれぞれ挟み込む。縁取り形成部１０２の折り込みについては、折り込み部１０２ｂをカバー上面板１０側に折り曲げて、折り込み部１０２ａと折り込み部１０２ｂとを接着する。この際、折り込み部１０２ｃをカバー上面板１０側に向けて折り曲げる。また、三角突起部１０４Ｌ、１０４Ｒを折り込み部１０１Ｌａ、１０１Ｒａにそれぞれ接着する。
【００４７】
こうして、カバー上面板１０に上面側縁取り部１０５を形成する。なお、前述のように、図７において折り込み部１０１Ｌａ、１０１Ｌｂ、１０１Ｒａ、１０１Ｒｂの左右方向の長さは、折り込み部１０２ａ、１０２ｂの前後方向の長さと略同じである。このため、このシート９を組み立てると、カバー上面板１０の正面側の縁及び左右両側の縁のそれぞれからカバー底面板１２側に向けて高さを揃えて突出させた上面側縁取り部１０５を形成できる。
【００４８】
次に、前述の上面側縁取り部１０５の形成手順と同様の手順で、カバー底面板１２に底面側縁取り部１２５を形成する。具体的には、まず、カバー底面板１２に対して直角になるように、縁取り形成部１２１Ｌ、１２１Ｒ、１２２を上方に向けてそれぞれ立ち上げる。この際、カバー底面板１２側に向けて折り込むように接着部１２３Ｌ、１２３Ｒを折り曲げる。
【００４９】
次に、折り込み部１２１Ｌｂ、１２１Ｒｂをカバー底面板１２側に折り曲げて、折り込み部１２１Ｌｂ、１２１Ｒｂと折り込み部１２１Ｌａ、１２１Ｒａとをそれぞれ接着させる。この際、折り込み部１２１Ｌｂ、１２１Ｒｂと折り込み部１２１Ｌａ、１２１Ｒａと間に接着部１２３Ｌ、１２３Ｒをそれぞれ挟み込む。縁取り形成部１２２の折り込みについては、折り込み部１２２ｂをカバー底面板１２側に折り曲げて、折り込み部１２２ｂと折り込み部１２２ａとを接着する。この際、折り込み部１２２ｃをカバー底面板１２側に向けて折り曲げる。また、三角突起部１２４Ｌ、１２４Ｒを折り込み部１２１Ｌａ、１２１Ｒａにそれぞれ接着する。
【００５０】
こうして、カバー底面板１２に底面側縁取り部１２５を形成する。なお、前述のように、図７において折り込み部１２１Ｌａ、１２１Ｌｂ、１２１Ｒａ、１２１Ｒｂの左右方向の長さは、折り込み部１２２ａ、１２２ｂの前後方向の長さと略同じである。このため、このシート９を組み立てると、カバー底面板１２の正面側の縁及び左右両側の縁のそれぞれからカバー上面板１０側に向けて高さを揃えて突出させた底面側縁取り部１２５を形成できる。
最後に、上面側縁取り部１０５が形成されたカバー上面板１０と、底面側縁取り部１２５が形成されたカバー底面板１２とを上方に向けてそれぞれ立ち上げる。この際、折り込み部１１１Ｌａ、１１１Ｒａをカバー背面板１１側に折り曲がるように背面折り込み部１１１Ｌ、１１１Ｒを折り曲げる。
【００５１】
こうして、図４（ｂ）に示すように、容器２の上面部１３を覆うカバー上面板１０と、背面板８を覆うカバー背面板１１と、底面板５を覆うカバー底面板１２と、を有し、さらにカバー上面板１０の正面側の縁及び左右両側の縁のそれぞれからカバー底面板１２側に向けて突出した上面側縁取り部１０５と、カバー底面板１２の正面側の縁及び左右両側の縁のそれぞれからカバー上面板１０側に向けて突出した底面側縁取り部１２５とを備えたカバー３が形成される。
最後に、前述した容器２の底面板５とカバー底面板１２とを、背面板８とカバー背面板１１とを、上面部１３とカバー上面板１２とをそれぞれ合わせるようにして、容器２とカバー３とを組み合わせる。こうすることで、図１〜図３に示した本実施形態に係る包装容器１が形成される。
【００５２】
（効果）
（１）本実施形態に係る包装容器１の容器２は、透明な正面板７と、透明な左側面板６Ｌと、透明な右側面板６Ｒと、を有している。また、本実施形態に係る包装容器１のカバー３は、カバー３の正面側と左右両側とを開放している。
このため、容器２の正面板７及び左右両側の側面板６Ｌ、６Ｒを包装容器１の窓としてそのまま利用することができる。よって、本発明に係る包装容器１であれば、商品を収納した包装容器１が積み上げられている場合であっても、下方にある包装容器１を取り出してその包装容器１の蓋（カバー上面板１０）を開けることなく包装容器１内の商品を視認することができる。
【００５３】
（２）本実施形態に係る包装容器１の容器２は、一枚のシート４を、底面板５に対して正面板７と背面板８と左側面板６Ｌと右側面板６Ｒとをそれぞれ折り曲げ自在な折り曲げ線４１で区切り、この折り曲げ線４１でシート４を折り曲げることによって組み立てられている。
このため、容器２を展開してシート状にすることができるので、省スペースで容器２を輸送・保管することができる。また、省スペースで保管ができるので、商品の販売店内で梱包して即商品の販売をすることもできる。
【００５４】
（３）本実施形態に係る包装容器１の容器２は、正面側嵌合部７３Ｌ、７３Ｒと、正面側側面凸部６１Ｌｂ、６１Ｒｂと、背面側嵌合部８３Ｌ、８３Ｒと、背面側側面凸部６１Ｌａ、６１Ｒａと、を備えている。
このため、正面側嵌合部７３Ｌ、７３Ｒと正面側側面凸部６１Ｌｂ、６１Ｒｂとをそれぞれ凹凸嵌合し、且つ背面側嵌合部８３Ｌ、８３Ｒと背面側側面凸部６１Ｌａ、６１Ｒａとをそれぞれ凹凸嵌合することで、容器２を容易に組み立てることができる。また、凹凸嵌合により容器２を組み立てているので、接着剤等を必要としない。よって、製造コストが高騰するのを抑制できる。
【００５５】
（４）本実施形態に係る包装容器１の容器２は、容器２内に商品を収納した場合に、商品を背面から支持する支持斜面部５２と、商品の下縁前側を支持する中央底面凸部５４及び正面側底面凸部５５と、商品の側縁を前後から支持する溝部６２Ｌ、６２Ｒとを備えている。
このため、容器２内に収納された商品は、支持斜面部５２、中央底面凸部５４、正面側底面凸部５５及び溝部６２Ｌ、６２Ｒで支持されているため、輸送中であっても容器２内でずれにくい。
【００５６】
（５）本実施形態に係る包装容器１のカバー３は、カバー上面板１０に形成された上面側縁取り部１０５と、カバー底面板１２に形成された底面側縁取り部１２５とを備えている。
このため、容器２は上面側縁取り部１０５及び底面側縁取り部１２５で固定され、容器２とカバー３とが簡単に分離してしまうのを防止することができる。
【００５７】
（６）本実施形態に係る包装容器１は、容器２とカバー３とを組み合わせて包装容器１を形成している。
このため、包装容器１を形成する際に接着剤等を使用する必要はない。よって、容易に包装容器１を組み立てることができる。また、容器２とカバー３とを簡単に分別することができる。
【００５８】
（その他の形態）
本実施形態に係る包装容器１では、側面板６Ｌ、６Ｒに中央側面凸部６１Ｌｃ、６１Ｒｃをそれぞれ２つ設けた場合について説明したが、これに限定されるものではない。例えば、中央側面凸部６１Ｌｃ、６１Ｒｃの数を１つにしてもよいし、３つ以上にしてもよい。
中央側面凸部６１Ｌｃ、６１Ｒｃの数を１つにすることで、包装容器１の大きさを小型化することができる。また、中央側面凸部６１Ｌｃ、６１Ｒｃの数を３つ以上にすることで、包装容器１に収納可能な商品の数を増やすことができる。
【００５９】
また、本実施形態に係る包装容器１では、正面側嵌合部７３Ｌ、７３Ｒを側面板６Ｌ、６Ｒの外側から内側に向けて押し込むことで正面側側面凸部６１Ｌｂ、６１Ｒｂの裏面と凹凸嵌合させる場合について説明したが、これに限定されるものではない。これとは逆に正面側側面凸部６１Ｌｂ、６１Ｒｂを正面側嵌合部７３Ｌ、７３Ｒの裏側と凹凸嵌合させてもよい。同様に、背面側側面凸部６１Ｌａ、６１Ｒａを背面側側面凸部８３Ｌ、８３Ｒの裏側と凹凸嵌合させてもよい。
【００６０】
（パッケージ商品２０）
図８は、本実施形態に係る包装容器に商品を収納した状態を示す正面図である。本実施形態に係るパッケージ商品２０は、前述の包装容器１と、その包装容器１の容器２内に収納された商品２１とを含んだものである。なお、図８において、収納された商品２１は破線で示されており、また、包装容器１の記載は省略されている。
【００６１】
本実施形態に係るパッケージ商品２０において、商品２１は、正面板７側から背面板８側に向かって左側例及び右側列の２列で収納されている。そして、左側の商品列２１Ｌと右側の商品列２１Ｒとは、図６に示したＡ線を中心にして左右対称に配置されている。そこで、左側列における商品列２１Ｌの配置形態についてのみ説明し、右側列における商品列２１Ｒの配置形態についての説明は省略する。
【００６２】
商品列２１Ｌの商品２１Ｌａは、支持傾斜部５２の傾斜面５１に商品２１Ｌａの背面が接した状態で収納されている。そして、傾斜面５１に背面が接した状態の商品２１Ｌａの下縁前縁は、中央底面凸部５４で支持されている。また、その状態の商品２１Ｌａの側縁は、溝部６２Ｌで支持されている。
商品列２１Ｌの商品２１Ｌｂは、商品２１Ｌａの正面板７側に収納されており、商品２１Ｌｂの下縁前縁が正面側底面凸部５５の凸部５５ａで支持された状態で収納されている。また、その状態の商品２１Ｌｂの側縁は、溝部６２Ｌで支持されている。
【００６３】
商品列２１Ｌの商品２１Ｌｃは、商品２１Ｌｂの正面板７側に収納されており、商品２１Ｌｃの下縁前縁が正面板７で支持された状態で収納されている。また、その状態の商品２１Ｌｃの側縁は、溝部６２Ｌで支持されている。
このようにして、容器２には、左側の商品列２１Ｌ及び右側の商品列２１Ｒに３個の商品２１Ｌａ〜２１Ｌｃ、２１Ｒａ〜２１Ｒｃがそれぞれ収納されている。
【００６４】
また、商品２１Ｌａと商品２１Ｌｂとの間であってＡ線上には、商品２１Ｃａが１個収納されている。この商品２１Ｃａの下縁前縁は、正面側底面凸部５５の凸部５５ｂで支持されている。また、この商品２１Ｃａは、商品２１Ｌａ及び商品２１Ｌｂの側縁でそれぞれ支持されている。
また、商品２１Ｌｂと商品２１Ｌｃとの間であってＡ線上には、商品２１Ｃｂが１個収納されている。この商品２１Ｃｂの下縁前縁は、仕切り凸部５６の凸部５５ａで支持されている。また、この商品２１Ｃｂは、商品２１Ｌｂ及び商品２１Ｌｃの側縁でそれぞれ支持されている。
【００６５】
以上のように、本実施形態に係るパッケージ商品２０では、包装容器１の容器２内に合計８個の商品２１が収納されている。そして、このパッケージ商品２０を積み重ねて使用する。
本実施形態に係るパッケージ商品２０は、前述の包装容器１内に商品２１が収納されている。
このため、カバー３の上面板１０を開けることなく、正面板７側及び左右両側の側面板６Ｌ、６Ｒ側から容器２内に収納された商品２１を視認することができる。
【符号の説明】
【００６６】
１  包装容器、２  容器、３  カバー、４  シート、５  底面板、６  側面板、７  正面板、８  背面板、９  シート、１０  カバー上面板、１１  カバー背面板、１２  カバー底面板、１３  上面部、２０  パッケージ商品、２１  商品、４１  折り曲げ線、５１  傾斜面、５２  支持傾斜部、５３  傾斜仕切り部、５４  中央底面凸部、５５  正面側底面凸部、５６  仕切り凸部、５７  端部凸部、７１  底面側補強凸部、７２  上面側補強凸部、８１  底面側補強凸部、８２  上面側補強凸部、９１  折り曲げ線、１０２  縁取り形成部、１０５  上面側縁取り部、１２２  縁取り形成部、１２５  底面側縁取り部
【図１】
2014133581.tif 000003
【図２】
2014133581.tif 000004
【図３】
2014133581.tif 000005
【図４】
2014133581.tif 000006
【図５】
2014133581.tif 000007
【図６】
2014133581.tif 000008
【図７】
2014133581.tif 000009
【図８】
2014133581.tif 000010